(57)【要約】【課題】装置本体へのカセットの装着に伴ってシートが給紙ニップ部に進入することを抑止した給紙装置、およびこれを備えた画像形成装置を提供する。【解決手段】カセット１１０が本体ハウジング１０に装着されると、カセット１１０のシート収容部１１０ＳからシートＰが搬送される。シートＰは、カセット１１０の装着方向に沿ったシート搬送方向に搬送される。カセット１１０は、カセット後壁１１０Ｃを備える。カセット後壁１１０Ｃは、シート収容部１１０Ｓに収容されるシートＰのシート搬送方向下流側の端縁に対向して配置される壁部であって、シート搬送方向下流側に向かって先上がりに傾斜した姿勢に配置される。また、カセット後壁１１０Ｃの上端側には、シート収容部１１０Ｓに収容されるシートＰの前記端縁に対向する対向面を含む捌きパッド７０が配置される。【選択図】図４
2014184995.tif 000002
【特許請求の範囲】
【請求項１】
装置本体と、
前記装置本体に対して所定の装着方向に装着され、底部と、前記装着方向の先端側に前記底部と交差して立設される外壁と、シートが上下方向に積層して収容されるシート収容部とを備えるカセットと、
前記シート収容部から延設され、前記カセットが前記装置本体に装着される方向に沿ったシート搬送方向に、前記シートが搬送されるシート搬送路と、
前記シート搬送路の入口側で前記シート収容部に対向して配置され、前記シート収容部の前記シートを前記シート搬送方向に搬送するピックアップローラーと、
前記ピックアップローラーよりも前記シート搬送方向下流側に配置され、前記シートを前記シート搬送方向に搬送する給紙ローラーと、
前記給紙ローラーに対向して配置され、前記給紙ローラーとの間で前記シートが通過する給紙ニップ部を形成し、前記シートを捌く対向部材と、
前記カセットに配置され、前記シート収容部に収容される前記シートの前記シート搬送方向下流側の端縁に対向して配置される壁部であって、少なくとも前記カセットが前記装置本体に装着された状態において、前記シート搬送方向下流側に向かって先上がりに傾斜した第１の姿勢に配置される壁部と、
前記シート収容部に収容される複数のシートの前記端縁に対向する対向面を含み、前記壁部の上端側に配置される規制部材と、
を有することを特徴とする給紙装置。
【請求項２】
前記規制部材の前記対向面は、凹凸形状を備えることを特徴とする請求項１に記載の給紙装置。
【請求項３】
前記壁部は、前記カセットの前記外壁とは別部材であって、前記外壁よりも前記カセットの内側に配置されることを特徴とする請求項１または２に記載の給紙装置。
【請求項４】
前記壁部は、姿勢変更可能とされ、前記カセットが前記装置本体から脱離された状態において鉛直方向に沿った第２の姿勢に配置され、
前記カセットが前記装置本体に装着される動作に連動して、前記壁部を前記第２の姿勢から前記第１の姿勢に姿勢変更させる第１姿勢変更手段を更に有することを特徴とする請求項３に記載の給紙装置。
【請求項５】
前記壁部は、上端側において前記装着方向と交差するシート幅方向に延伸される第１回転軸を備え、
前記第１姿勢変更手段は、
前記カセットに対向して、装置本体に配置される突起部と、
前記外壁に開口され、前記突起部が貫通する開口部と、を備え、
前記カセットが前記装置本体に装着されると、前記突起部が前記開口部を貫通して前記壁部に当接し、前記壁部の下端側が前記第１回転軸回りに回転することで、前記壁部が前記第２の姿勢から前記第１の姿勢に姿勢変更することを特徴とする請求項４に記載の給紙装置。
【請求項６】
前記壁部は、前記カセットの前記装着方向の先端側の前記外壁であることを特徴とする請求項１または２に記載の給紙装置。
【請求項７】
前記外壁は、前記カセットに固定して配置されることを特徴とする請求項６に記載の給紙装置。
【請求項８】
前記外壁は、姿勢変更可能とされ、前記カセットが前記装置本体から脱離された状態において鉛直方向に沿った第３の姿勢に配置され、
前記カセットが前記装置本体に装着される動作に連動して、前記外壁を前記第３の姿勢から前記第１の姿勢に姿勢変更させる第２姿勢変更手段を更に有することを特徴とする請求項６に記載の給紙装置。
【請求項９】
前記外壁は、上端側において前記装着方向と交差するシート幅方向に延伸される第２回転軸を備え、
前記第２姿勢変更手段は、前記カセットに対向して前記装置本体に配置される当接部であり、
前記カセットが前記装置本体に装着されると、前記当接部が前記外壁に当接し、前記外壁の下端側が前記第２回転軸回りに回転することで、前記外壁が前記第３の姿勢から前記第１の姿勢に姿勢変更することを特徴とする請求項８に記載の給紙装置。
【請求項１０】
前記装置本体に配置され、前記カセットの装着における衝撃を吸収する第１衝撃吸収手段を更に備えることを特徴とする請求項３乃至５の何れか１項に記載の給紙装置。
【請求項１１】
前記第１衝撃吸収手段は、
前記装置本体に配置され、前記カセットの前記外壁が当接する対向板と、
前記対向板の前記外壁とは反対側に配置される弾性部材と、を備えることを特徴とする請求項１０に記載の給紙装置。
【請求項１２】
前記カセットの前記外壁と前記壁部との間に配置され、前記カセットの装着における衝撃を吸収する第２衝撃吸収手段を更に備えることを特徴とする請求項６乃至９の何れか１項に記載の給紙装置。
【請求項１３】
請求項１乃至１２の何れか１項に記載の給紙装置と、
前記シートに画像を形成する画像形成部と、を有することを特徴とする画像形成装置。
【発明の詳細な説明】
【技術分野】
【０００１】
本発明は、シートを給紙する給紙装置、およびこれを備えた画像形成装置に関する。
【背景技術】
【０００２】
従来、シートを給紙する給紙装置として、画像形成装置に装着されたものが知られている。給紙装置は、画像形成装置の装置本体に対して着脱自在とされるカセットと、装置本体に配置されたピックアップローラー、給紙ローラー、リタードローラーとから構成される。カセットには、シートが収容される。そして、ピックアップローラーが回転されることで、シートがシート搬送方向に給送される。
【０００３】
ピックアップローラーによって給送されたシートは、給紙ローラーとリタードローラーとが形成する給紙ニップ部に搬入される。給紙ローラーの回転によって、シート搬送方向下流側に更にシートが搬送される。
【０００４】
特許文献１には、画像形成装置の装置本体の内部において、カセットの装着方向に向かって、シート搬送路が延設される技術が開示されている。前記技術では、給紙ニップ部に向かってシートを案内するガイド面が配置され、該ガイド面の角度が調整可能とされる。
【先行技術文献】
【特許文献】
【０００５】
【特許文献１】特開２００７−５５７０５号公報
【発明の概要】
【発明が解決しようとする課題】
【０００６】
特許文献１に記載された技術において、カセットに多くのシートが積載された状態で、カセットが装置本体に強く挿入された場合、複数のシートが給紙ニップ部に進入することがある。この結果、複数のシートが給紙ニップ部に進入する重送が発生することがあった。
【０００７】
本発明は、上記問題に鑑みてなされたものであり、装置本体へのカセットの装着に伴ってシートが給紙ニップ部に進入することを抑止した給紙装置、およびこれを備えた画像形成装置を提供することを目的とする。
【課題を解決するための手段】
【０００８】
本発明の一局面に係る給紙装置は、装置本体と、前記装置本体に対して所定の装着方向に装着され、底部と、前記装着方向の先端側に前記底部と交差して立設される外壁と、シートが上下方向に積層して収容されるシート収容部とを備えるカセットと、前記シート収容部から延設され、前記カセットが前記装置本体に装着される方向に沿ったシート搬送方向に、前記シートが搬送されるシート搬送路と、前記シート搬送路の入口側で前記シート収容部に対向して配置され、前記シート収容部の前記シートを前記シート搬送方向に搬送するピックアップローラーと、前記ピックアップローラーよりも前記シート搬送方向下流側に配置され、前記シートを前記シート搬送方向に搬送する給紙ローラーと、前記給紙ローラーに対向して配置され、前記給紙ローラーとの間で前記シートが通過する給紙ニップ部を形成し、前記シートを捌く対向部材と、前記カセットに配置され、前記シート収容部に収容される前記シートの前記シート搬送方向下流側の端縁に対向して配置される壁部であって、少なくとも前記カセットが前記装置本体に装着された状態において、前記シート搬送方向下流側に向かって先上がりに傾斜した第１の姿勢に配置される壁部と、前記シート収容部に収容される複数のシートの前記端縁に対向する対向面を含み、前記壁部の上端側に配置される規制部材と、を有することを特徴とする。
【０００９】
本構成によれば、シート収容部に収容されているシートのうち、上方に位置するシートのシート搬送方向下流側の端縁には、規制部材が対向して配置されている。したがって、積層されたシートの前記端縁が規制部材の対向面に引っかかり、カセットの装着時にシートの給紙ニップ部への進入を抑止することができる。また、カセットの壁部が、先上がりに傾斜した第１の姿勢に配置されているため、カセットが装置本体に装着された状態において、シート収容部に収容される複数のシートの端縁は、シート搬送方向において少しずつずれた位置に配置される。このため、シートの端縁同士が密着することが低減される。換言すれば、壁部の傾斜形状によって、シートの前捌きが実現される。
【００１０】
上記の構成において、前記規制部材の前記対向面は、凹凸形状を備えることが望ましい。
【００１１】
本構成によれば、積層されたシートの前記端縁が対向面の凹凸形状に引っかかり、カセットの装着時にシートの給紙ニップ部への進入を一層抑止することができる。
【００１２】
上記の構成において、前記壁部は、前記カセットの前記外壁とは別部材であって、前記外壁よりも前記カセットの内側に配置されることが望ましい。
【００１３】
本構成によれば、カセットの内部に傾斜姿勢に配置された壁部を備えることができる。
【００１４】
上記の構成において、前記壁部は、姿勢変更可能とされ、前記カセットが前記装置本体から脱離された状態において鉛直方向に沿った第２の姿勢に配置され、前記カセットが前記装置本体に装着される動作に連動して、前記壁部を前記第２の姿勢から前記第１の姿勢に姿勢変更させる第１姿勢変更手段を更に有することが望ましい。
【００１５】
本構成によれば、カセットが装置本体に装着されることで、壁部が傾斜姿勢に配置される。
【００１６】
上記の構成において、前記壁部は、上端側において前記装着方向と交差するシート幅方向に延伸される第１回転軸を備え、前記第１姿勢変更手段は、前記カセットに対向して、装置本体に配置される突起部と、前記外壁に開口され、前記突起部が貫通する開口部と、を備え、前記カセットが前記装置本体に装着されると、前記突起部が前記開口部を貫通して前記壁部に当接し、前記壁部の下端側が前記第１回転軸回りに回転することで、前記壁部が前記第２の姿勢から前記第１の姿勢に姿勢変更することが望ましい。
【００１７】
本構成によれば、第１回転軸と、突起部と、開口部とによって、壁部の姿勢変更が実現される。
【００１８】
上記の構成において、前記壁部は、前記カセットの前記装着方向の先端側の前記外壁であることが望ましい。
【００１９】
本構成によれば、カセットの内部に別の壁部材を追加することなく、カセットの装着時にシートの給紙ニップ部への進入を抑止することができる。
【００２０】
上記の構成において、前記外壁は、前記カセットに固定して配置されることが望ましい。
【００２１】
本構成によれば、シート収容部のシートを確実に傾斜して積層させることができる。
【００２２】
上記の構成において、前記外壁は、姿勢変更可能とされ、前記カセットが前記装置本体から脱離された状態において鉛直方向に沿った第３の姿勢に配置され、前記カセットが前記装置本体に装着される動作に連動して、前記外壁を前記第３の姿勢から前記第１の姿勢に姿勢変更させる第２姿勢変更手段を更に有することが望ましい。
【００２３】
本構成によれば、カセットが装置本体に装着されることで、外壁が傾斜姿勢に配置される。
【００２４】
上記の構成において、前記外壁は、上端側において前記装着方向と交差するシート幅方向に延伸される第２回転軸を備え、前記第２姿勢変更手段は、前記カセットに対向して前記装置本体に配置される当接部であり、前記カセットが前記装置本体に装着されると、前記当接部が前記外壁に当接し、前記外壁の下端側が前記第２回転軸回りに回転することで、前記外壁が前記第３の姿勢から前記第１の姿勢に姿勢変更することが望ましい。
【００２５】
本構成によれば、第２回転軸と、当接部とによって、外壁の姿勢変更が実現される。
【００２６】
上記の構成において、前記装置本体に配置され、前記カセットの装着における衝撃を吸収する第１衝撃吸収手段を更に備えることが望ましい。
【００２７】
本構成によれば、カセットが装置本体に装着される際の衝撃を低減することができる。この結果、シート収容部に収容されるシートが給紙ニップ部に進入することを一層抑止することができる。
【００２８】
上記の構成において、前記第１衝撃吸収手段は、前記装置本体に配置され、前記カセットの前記外壁が当接する対向板と、前記対向板の前記外壁とは反対側に配置される第１弾性部材と、を備えることが望ましい。
【００２９】
本構成によれば、対向板と弾性部材とによって、カセットが装置本体に装着される際の衝撃を低減することができる。
【００３０】
上記の構成において、前記カセットの前記外壁と前記壁部との間に配置され、前記カセットの装着における衝撃を吸収する第２衝撃吸収手段を更に備えることが望ましい。
【００３１】
本構成によれば、カセットが装置本体に装着される際の衝撃を低減することができる。この結果、シート収容部に収容されるシートが給紙ニップ部に進入することを抑止することができる。
【００３２】
本発明の他の局面に係る画像形成装置は、上記の何れかに記載の給紙装置と、前記シートに画像を形成する画像形成部と、を有することを特徴とする。
【００３３】
本構成によれば、カセットの装着時にシートの給紙ニップ部への進入を抑止することができる。また、シート収容部のシートの端縁同士が密着することが低減される。換言すれば、壁部の傾斜形状によって、シートの前捌きが実現される。この結果、シートに安定して画像を形成することができる。
【発明の効果】
【００３４】
本発明によれば、装置本体へのカセットの装着に伴ってシートが給紙ニップ部に進入することを抑止した給紙装置、およびこれを備えた画像形成装置が提供される。
【図面の簡単な説明】
【００３５】
【図１】本発明の一実施形態に係る画像形成装置の内部構造を概略的に示す断面図である。
【図２】本発明の第１の実施形態に係る画像形成装置の装置本体およびカセットの一部の斜視図である。
【図３】図２の断面斜視図である。
【図４】本発明の第１の実施形態に係るカセットが装置本体に装着される様子を示した断面図である。
【図５】本発明の第１の実施形態に係るカセットが装置本体に装着された様子を示した断面図である。
【図６】本発明の第２の実施形態に係る画像形成装置の装置本体およびカセットの一部の斜視図である。
【図７】図６の断面斜視図である。
【図８】本発明の第２の実施形態に係るカセットが装置本体に装着される様子を示した断面図である。
【図９】本発明の第２の実施形態に係るカセットが装置本体に装着された様子を示した断面図である。
【図１０】本発明の第３の実施形態に係る画像形成装置の装置本体およびカセットの一部の斜視図である。
【図１１】図１０の断面斜視図である。
【図１２】本発明の第３の実施形態に係るカセットが装置本体に装着される様子を示した断面図である。
【図１３】本発明の第３の実施形態に係るカセットが装置本体に装着された様子を示した断面図である。
【図１４】本発明の変形実施形態に係るカセットが装置本体に装着される様子を示した断面図である。
【発明を実施するための形態】
【００３６】
以下、図面に基づいて、本発明の実施形態につき詳細に説明する。図１は、本発明の一実施形態に係る画像形成装置１の内部構造を示す側断面図である。ここでは、画像形成装置１としてモノクロプリンターを例示するが、画像形成装置は、複写機、ファクシミリ装置、或いは、これらの機能を備える複合機であってもよく、またカラー画像を形成する画像形成装置であっても良い。
【００３７】
画像形成装置１は、略直方体形状の筐体構造を有する本体ハウジング１０（装置本体）と、この本体ハウジング１０内に収容される画像形成部３０と、定着部４０と、トナーコンテナ８０と、給紙部２０と、を含む。
【００３８】
本体ハウジング１０の前面側には前カバー１１が、後面側には後カバー１２が各々備えられている。前カバー１１が開放されることで、トナーコンテナ８０が前面側に露出する。これにより、ユーザーは、トナー切れの際にトナーコンテナ８０を本体ハウジング１０の前面側から取り出すことができる。後カバー１２は、シートジャムやメンテナンスの際に開放されるカバーである。画像形成部３０及び定着部４０の各ユニットは、後カバー１２が開放されることで、本体ハウジング１０の後面側から取り出し可能となる。前カバー１１と、後カバー１２と、排紙部１３とによって画定される内部空間１０Ｓに、画像形成を実行するための各種装置が内装される。
【００３９】
画像形成部３０は、給紙部２０から送り出されるシートにトナー画像を形成する画像形成処理を行う。画像形成部３０は、感光体ドラム３１と、この感光体ドラム３１の周囲に配置された、帯電装置３２、露光装置（図２には表れていない）、現像装置３３、転写ローラー３４及びクリーニング装置３５とを含む。
【００４０】
感光体ドラム３１は、回転軸と、回転軸回りに回転する円筒面と、を備える。円筒面には、静電潜像が形成されるとともに、該静電潜像に応じたトナー像が円筒面に担持される。
【００４１】
帯電装置３２は、感光体ドラム３１の表面を均一に帯電するものであって、感光体ドラム３１に当接する帯電ローラーを含む。
【００４２】
クリーニング装置３５は、不図示のクリーニングブレードを有し、トナー像転写後の感光体ドラム３１の周面に付着したトナーを清掃するとともに、不図示の回収装置に該トナーを搬送する。
【００４３】
露光装置は、レーザー光源とミラーやレンズ等の光学系機器とを有し、感光体ドラム３１の周面に、パーソナルコンピューター等の外部装置から与えられる画像データに基づいて変調された光を照射して、静電潜像を形成する。現像装置３３は、感光体ドラム３１上の前記静電潜像を現像してトナー像を形成するために、感光体ドラム３１の周面にトナーを供給する。現像装置３３は、現像ローラー３３１、スクリュー３３２、３３３を含む。
【００４４】
転写ローラー３４は、感光体ドラム３１の周面に形成されたトナー像をシート上に転写させるためのローラーである。転写ローラー３４は、感光体ドラム３１の円筒面に当接し、転写ニップ部を形成している。この転写ローラー３４には、トナーと逆極性の転写バイアスが与えられる。
【００４５】
定着部４０は、転写されたトナー像をシート上に定着する定着処理を行う。定着部４０は、加熱源を内部に備えた定着ローラー４１と、この定着ローラー４１に対して圧接され、定着ローラー４１との間に定着ニップ部を形成する加圧ローラー４２とを含む。トナー像が転写されたシートが前記定着ニップ部に通紙されると、トナー像は、定着ローラー４１による加熱および加圧ローラー４２による押圧により、シートＰ上に定着される。
【００４６】
トナーコンテナ８０は、現像装置３３に補給する補給トナーを貯留する。トナーコンテナ８０内に貯留された補給トナーは、回転部材８４が回転駆動されることによって、筒状部８２の先端下面に設けられたトナー排出口８２１から現像装置３３内に供給される。
【００４７】
給紙部２０は、画像形成処理が施されるシートＰを収容するカセット１１０を含む。カセット１１０には、前記シートＰの束が収容されるシート収容部１１０Ｓ、前記シートＰの束を給紙のためにリフトアップするリフト板１１１等が備えられている。シートＰは、カセット１１０から本体ハウジング１０の内部に延設された後記の主搬送路２２Ｆに搬入される。なお、カセット１１０については後記で詳述する。
【００４８】
本体ハウジング１０内には、シートを搬送するために、主搬送路２２Ｆ及び反転搬送路２２Ｂが備えられている。主搬送路２２Ｆは、給紙部２０のシート収容部１１０Ｓから画像形成部３０及び定着部４０を経由して、本体ハウジング１０上面の排紙部１３に対向して設けられている排紙口１４まで延びている。反転搬送路２２Ｂは、シートに対して両面印刷を行う場合に、片面印刷されたシートを主搬送路２２Ｆにおける画像形成部３０の上流側に戻すための搬送路である。
【００４９】
主搬送路２２Ｆは、感光体ドラム３１および転写ローラー３４によって形成される転写ニップ部を、下方から上方に向かって通過するように延設される。また、主搬送路２２Ｆの転写ニップ部よりも上流側には、レジストローラー対２３が配置されている。シートは、レジストローラー対２３にて一旦停止され、スキュー矯正が行われた後、画像転写のための所定のタイミングで前記転写ニップ部に送り出される。主搬送路２２Ｆ及び反転搬送路２２Ｂの適所には、シートを搬送するための搬送ローラーが複数配置されており、例えば排紙口１４の近傍には排紙ローラー対２４が配置されている。
【００５０】
反転搬送路２２Ｂは、反転ユニット２５の外側面と、本体ハウジング１０の後カバー１２の内面との間に形成されている。なお、反転ユニット２５の内側面には転写ローラー３４及びレジストローラー対２３の一方のローラーが搭載されている。後カバー１２及び反転ユニット２５は、それらの下端に設けられた支点部１２１の軸回りに各々回動可能である。反転搬送路２２Ｂにおいてシートジャムが発生した場合、後カバー１２が開放される。主搬送路２２Ｆでシートジャムが発生した場合、或いは感光体ドラム３１のユニットや現像装置３３が外部に取り出される場合には、後カバー１２に加えて反転ユニット２５も開放される。
【００５１】
＜給紙部について＞
次に、図１に加え、図２乃至図５を参照して、本発明の第１の実施形態に係る給紙部２０（給紙装置）について詳述する。給紙部２０は、前述のカセット１１０と、案内壁部１００とを備える。図２は、カセット１１０が本体ハウジング１０に装着された際のカセット１１０および案内壁部１００の斜視図であり、図３は、図２の断面斜視図である。また、図４は、本体ハウジング１０の案内壁部１００にカセット１１０が装着される様子を示した断面図である。更に、図５は、本体ハウジング１０の案内壁部１００にカセット１１０が装着された様子を示した断面図である。なお、図４および図５では、複数のシートＰが上下方向に積層された状態で収容されている様子をシート群ＰＶとして示している。
【００５２】
カセット１１０は、本体ハウジング１０（装置本体）に対して着脱自在とされる。本実施形態では、カセット１１０は、図１の矢印ＤＣ方向（装着方向、図４の矢印Ｄ４１方向）に装着される。カセット１１０は、カセット底壁１１０Ａ（底部）と、シート収容部１１０Ｓとを備える。シート収容部１１０ＳにはシートＰが上下方向に積層して収容される。また、シート収容部１１０Ｓに収容されたシートＰは、前述の主搬送路２２Ｆ（シート搬送路）を搬送される。主搬送路２２Ｆは、シート収容部１１０Ｓから延設され、シートＰが前記装着方向に沿ったシート搬送方向（図５の矢印５１方向）に向かって搬送された後、上方に向かって搬送される搬送路である。カセット１１０は、カセット底壁１１０Ａの前後左右から側壁が上方に立設される箱型形状からなる。換言すれば、カセット１１０は、更に、カセット前壁１１０Ｂ（図１）と、カセット後壁１１０Ｃ（外壁）と、カセット左壁１１０Ｄと、カセット右壁１１０Ｅと、リフト板１１１（図１）とを備える。
【００５３】
カセット前壁１１０Ｂは、カセット１１０の前側を画定し、本体ハウジング１０の前カバー１１と面一に配置される。カセット後壁１１０Ｃは、カセット１１０の後側を画定する。換言すれば、カセット後壁１１０Ｃは、カセット１１０が本体ハウジング１０に装着される装着方向の先端側にカセット底壁１１０Ａと交差して立設される外壁である。カセット後壁１１０Ｃは、カセット１１０に固定して配置される。また、カセット左壁１１０Ｄは、カセット１１０の左方において、カセット後壁１１０Ｃと交差して、前記装着方向に沿って配置される側壁である。カセット右壁１１０Ｅは、カセット１１０の右方において、カセット左壁１１０Ｄと平行に配置される側壁である。
【００５４】
本実施形態では、カセット後壁１１０Ｃは、シート収容部１１０Ｓに収容されるシートＰの前記シート搬送方向下流側の端縁ＰＱ（図５）に対向して配置される壁部である。また、カセット後壁１１０Ｃは、カセット１１０が本体ハウジング１０に装着された状態において、下方から上方に向かうに従って前記シート搬送方向下流側に向かって先上がりに傾斜した第１の姿勢に配置される。また、カセット後壁１１０Ｃは、捌きパッド７０（捌き部材）を備える。
【００５５】
図２を参照して、捌きパッド７０は、カセット後壁１１０Ｃのシート収容部１１０Ｓに対向する面において、カセット後壁１１０Ｃの上端側に配置される。詳しくは、捌きパッド７０は、カセット後壁１１０Ｃの上縁部１１０Ｃ１に沿って配置される。また、捌きパッド７０は、後記のリタードローラー１１７を挟むようにシート幅方向（左右方向）に間隔をおいて一対配置される。捌きパッド７０は、シート収容部１１０Ｓに収容される複数のシートＰのシート搬送方向下流側の端縁ＰＱ（図５）に対向する対向面７０Ｆ（図３）を含む。本実施形態では、捌きパッド７０は、略矩形形状からなるパッド部材である。捌きパッド７０は樹脂材料からなり、前記対向面７０Ｆにはシボ加工が施されている。この結果、対向面７０Ｆは、凹凸形状を備える。なお、捌きパッド７０は、ゴムなど他の材料から構成されてもよい。
【００５６】
リフト板１１１（図１）は、カセット１１０のカセット底壁１１０Ａ側に配置される。リフト板１１１は、上方に移動されることで、シート収容部１１０Ｓに収容されるシートＰのシート搬送方向下流側の端部を後記のピックアップローラー１１２に向かって移動させる。より詳しくは、リフト板１１１は、カセット１１０のカセット底壁１１０Ａに沿った退避位置と、前記退避位置よりも上方であって、シート収容部１１０Ｓに収容されるシートのシート搬送方向下流側の端部を後記のピックアップローラー１１２に当接させる当接位置との間で位置変更が可能とされる。リフト板１１１は、カセット１１０が本体ハウジング１０に装着された後、不図示の昇降部によって上下に移動される。
【００５７】
案内壁部１００は、本体ハウジング１０の内部において、カセット１１０に対向して配置されるユニットである。案内壁部１００は、ガイド面１００Ａと、側壁部１００Ｂと、対向壁部１００Ｃと、支持壁１００Ｄと、第１ばね１０１と、第２ばね１０２と、を備える。
【００５８】
ガイド面１００Ａは、案内壁部１００の上面部に配置された湾曲面である。ガイド面１００Ａは、カセット１１０から送り出されたシートＰをレジストローラー対２３（図１）に向かって案内する。側壁部１００Ｂは、案内壁部１００の左右方向の一対の側壁である。側壁部１００Ｂは、対向壁部１００Ｃと交差して配置される。対向壁部１００Ｃは、案内壁部１００の前側の壁部であり、カセット１１０のカセット後壁１１０Ｃに対向して配置される。特に、本実施形態では、図４および図５に示すように、対向壁部１００Ｃは、カセット後壁１１０Ｃの傾斜に沿うように、下方から上方に向かうに連れて前記シート搬送方向下流側に向かって先上がりに傾斜して配置される。
【００５９】
第１ばね１０１および第２ばね１０２は、対向壁部１００Ｃとともに、本体ハウジング１０へのカセット１１０の装着における衝撃を吸収する衝撃吸収部（第１衝撃吸収手段）として機能する。カセット１１０が本体ハウジング１０に装着される際、カセット１１０のカセット後壁１１０Ｃが対向壁部１００Ｃに当接する。第１ばね１０１および第２ばね１０２は、対向壁部１００Ｃのカセット後壁１１０Ｃとは反対側に配置される。図４に示されるように、第１ばね１０１は、対向壁部１００Ｃの上方部分に配置され、第２ばね１０２は、対向壁部１００Ｃの下方部分に配置される。第２ばね１０２の自然長が予め第１ばね１０１の自然長よりも長く設定され、対向壁部１００Ｃの前記傾斜が維持される。
【００６０】
更に、給紙部２０は、ピックアップローラー１１２と、給紙ローラー１１３と、リタードローラー１１７と、を備える。
【００６１】
ピックアップローラー１１２は、主搬送路２２Ｆの入口側で、シート収容部１１０Ｓに対向して配置される。ピックアップローラー１１２は、シート収容部１１０Ｓの後側端部（シート搬送方向下流側端部）の上方に配置される（図５）。ピックアップローラー１１２は、カセット１１０の装着方向（後方向）と交差するシート幅方向（左右方向）において、カセット１１０の中央部に配置される。前述のように、リフト板１１１が上昇されることによって、シートＰのシート搬送方向下流側の端部がピックアップローラー１１２に当接される。そして、不図示の駆動機構によってピックアップローラー１１２が回転されると、ピックアップローラー１１２は、シートＰをシート搬送方向下流側に向かって搬送する。
【００６２】
給紙ローラー１１３は、ピックアップローラー１１２よりもシート搬送方向下流側に配置される。給紙ローラー１１３は不図示の駆動機構によって回転駆動されることで、ピックアップローラー１１２によって送り出されたシートＰをシート搬送方向下流側に向かって更に搬送する。
【００６３】
リタードローラー１１７（対向部材）は、給紙ローラー１１３の下方において、給紙ローラー１１３に対向して配置される。リタードローラー１１７は、給紙ローラー１１３との間でシートＰが進入および通過する給紙ニップ部Ｎ（図５）を形成する。前述の主搬送路２２Ｆは、カセット１１０のシート収容部１１０Ｓから給紙ニップ部Ｎを通過するように延設されている。リタードローラー１１７は、給紙ローラー１１３に従動して回転可能とされる。給紙ニップ部Ｎに複数枚のシートＰが進入された場合、最も上方に配置される１枚のシートＰだけが、給紙ローラー１１３によってシート搬送方向下流側に搬送される。その他のシートＰはリタードローラー１１７の周面に当接することで、給紙ニップ部Ｎにおいて停止される。図２に示されるように、案内壁部１００のガイド面１００Ａの左右方向の中央部が部分的に窪んだ形状を備え、リタードローラー１１７は、前記窪んだ領域に配置されている。
【００６４】
カセット１１０が本体ハウジング１０に装着される際（図４の矢印Ｄ４１）、リフト板１１１はカセット底壁１１０Ａに沿った前記退避位置に配置されている。シート収容部１１０Ｓに満載状態に相当する枚数のシートＰが収容され、カセット１１０が本体ハウジング１０に強く装着されると、複数のシートＰが給紙ニップ部Ｎに進入してしまうことがある。この状態で、画像形成装置１において印刷動作が開始されると、前記複数のシートＰが主搬送路２２Ｆの下流側に搬送され（重送）、シート詰まりが生じてしまう。
【００６５】
このような課題を解決するために、本実施形態では、給紙部２０が、前述のカセット後壁１１０Ｃおよび捌きパッド７０を備える。図４を参照して、本体ハウジング１０にカセット１１０が装着される際（矢印Ｄ４１）、カセット１１０のカセット後壁１１０Ｃが案内壁部１００の対向壁部１００Ｃに対向して配置される。やがて、図５に示されるように、カセット後壁１１０Ｃが対向壁部１００Ｃに当接し、カセット１１０が本体ハウジング１０に装着される。この際、対向壁部１００Ｃ、第１ばね１０１および第２ばね１０２によってカセット１１０の装着に伴う衝撃が吸収される。したがって、カセット１１０にシートＰが満載状態で収容されている場合であっても、前記シートＰに対して給紙ニップ部Ｎに向かう外力が付与されることが可及的に抑止される。
【００６６】
また、本実施形態では、シート収容部１１０Ｓに収容されているシートＰのうち、上方に位置するシートＰの前記端縁ＰＱには、捌きパッド７０が対向して配置されている。捌きパッド７０は対向面７０Ｆ（図３）に凹凸形状を備える。したがって、積層された各シートＰの端縁ＰＱが、対向面７０Ｆの前記凹凸部分に引っかかり、カセット１１０の装着時にシートＰの給紙ニップ部Ｎ側への飛び出しを抑止することができる。
【００６７】
更に、本実施形態では、捌きパッド７０を含むカセット後壁１１０Ｃが、図５に示されるように傾斜して配置されている。このため、カセット１１０が本体ハウジング１０に装着された状態において、シート収容部１１０Ｓに収容される複数のシートＰの端縁ＰＱは、シート搬送方向において少しずつずれた位置に配置される。このため、シートＰ同士が端縁ＰＱ（裁断面）に沿って密着することが低減される。換言すれば、カセット後壁１１０Ｃの傾斜形状によって、シートＰの前捌きが実現される。このため、給紙ニップ部Ｎを形成するリタードローラー１１７など、他の捌き機能を備える部材のシートＰに対する負荷（押圧力など）を低減することができる。また、上記の構成によれば、カセット１１０の内部に別の壁部材を追加することなく、カセット後壁１１０Ｃによってシート収容部１１０ＳのシートＰを傾斜して積層させることができる。更に、カセット１１０に固定されたカセット後壁１１０Ｃによって、シート収容部１１０ＳのシートＰを確実に傾斜して積層させることができる。
【００６８】
この結果、カセット１１０が本体ハウジング１０に装着された後、画像形成装置１の画像形成動作に応じて、最も上方に位置するシートＰ１が好適に給紙ニップ部Ｎから搬出される。なお、支持壁１００Ｄの上端部がシート搬送方向下流側に屈曲して形成された導入面１００Ｇ（図５）にシートＰ１の先端部が当接しながら、シートＰ１が給紙ニップ部Ｎに案内される。
【００６９】
次に、図６乃至図９を参照して、本発明の第２の実施形態に係る給紙部２０Ａについて説明する。給紙部２０Ａは、前述の給紙部２０と同様に、カセット１３０と、案内壁部１２０とを備える。図６は、カセット１３０が本体ハウジング１０に装着された際のカセット１３０および案内壁部１２０の斜視図であり、図７は、図６の断面斜視図である。また、図８は、本体ハウジング１０の案内壁部１２０にカセット１３０が装着される様子を示した断面図である。更に、図９は、本体ハウジング１０の案内壁部１２０にカセット１３０が装着された様子を示した断面図である。なお、図８および図９では、複数のシートＰが上下方向に積層された状態で収容されている様子をシート群ＰＶとして示している。本実施形態では、先の第１の実施形態と比較して、カセット内壁部１３０Ｃの構成において相違するため、該相違点を中心に説明し、その他の説明を省略する。
【００７０】
カセット１３０は、本体ハウジング１０に対して着脱自在とされる。本実施形態では、カセット１３０は、図８の矢印Ｄ８１方向に装着される。カセット１３０は、カセット１１０と同様に、カセット底壁１３０Ａ（底部）と、シート収容部１３０Ｓとを備える。カセット１３０は、更に、不図示のカセット前壁と、カセット後壁１３０Ｆ（外壁）（図８）と、カセット内壁部１３０Ｃ（壁部）と、カセット左壁１３０Ｄと、カセット右壁１３０Ｅと、不図示のリフト板と、第３ばね１０３と、第４ばね１０４と、を備える。シート収容部１３０Ｓに収容されたシートＰは、図９の矢印Ｄ９１方向に搬送される。
【００７１】
本実施形態では、カセット内壁部１３０Ｃは、カセット後壁１３０Ｆに対向してカセット１３０の内部に配置される。換言すれば、カセット内壁部１３０Ｃは、カセット後壁１３０Ｆとは別部材であって、カセット後壁１３０Ｆよりもカセット１３０の内側に配置される。カセット後壁１３０Ｆは、鉛直方向に立設される。一方、カセット内壁部１３０Ｃは、シート収容部１３０Ｓに収容されるシートＰの前記シート搬送方向下流側の端縁ＰＱ（図９）に対向して配置される壁部である。また、カセット内壁部１３０Ｃは、カセット１３０が本体ハウジング１０に装着された状態において、下方から上方に向かうに従って前記シート搬送方向下流側に向かって先上がりに傾斜した第１の姿勢に配置される。第３ばね１０３および第４ばね１０４は、カセット１３０のカセット後壁１３０Ｆとカセット内壁部１３０Ｃとの間に配置され、本体ハウジング１０へのカセット１３０の装着における衝撃を吸収する。図８に示されるように、第３ばね１０３はカセット内壁部１３０Ｃの上方部分に配置され、第４ばね１０４はカセット内壁部１３０Ｃの下方部分に配置される。第４ばね１０４の自然長が予め第３ばね１０３の自然長よりも長く設定され、カセット内壁部１３０Ｃの前記傾斜が維持される。また、カセット内壁部１３０Ｃは、先の第１の実施形態と同様に、捌きパッド７１（捌き部材）を備える。捌きパッド７１は、カセット内壁部１３０Ｃの上縁部１３０Ｃ１に沿って配置される。捌きパッド７１は、凹凸形状を備えた対向面７１Ｆを含む。
【００７２】
案内壁部１２０は、先の実施形態の案内壁部１００と同様に、本体ハウジング１０の内部において、カセット１３０に対向して配置されるユニットである。案内壁部１００は、カセット１３０に対向して、鉛直方向に立設された対向壁部１２０Ｃを備える。
【００７３】
図８を参照して、本体ハウジング１０にカセット１３０が装着される際（矢印Ｄ８１）、カセット１３０のカセット後壁１３０Ｆが案内壁部１２０の対向壁部１２０Ｃに対向して配置される。やがて、図９に示されるように、カセット後壁１３０Ｆが対向壁部１２０Ｃに当接し、カセット１３０が本体ハウジング１０に装着される。この際、第３ばね１０３および第４ばね１０４によってカセット１３０の装着に伴う衝撃が吸収され、シートＰに及ぼされる外力が低減される。したがって、カセット１３０にシートＰが満載状態で収容されている場合であっても、前記シートＰに対して給紙ニップ部Ｎに向かう外力が付与されることが可及的に抑止される。また、シート収容部１３０Ｓに積層された各シートＰの端縁ＰＱが、対向面７１Ｆの凹凸部分に引っかかり、カセット１３０の装着時にシートＰの給紙ニップ部Ｎ側への飛び出しを抑止することができる。また、第１の実施形態と同様に、カセット内壁部１３０Ｃの傾斜形状によって、シートＰの前捌きが好適に実現される。また、上記の構成によれば、カセット後壁１３０Ｆを鉛直方向に立設させた上で、カセット１３０の内部に傾斜形状を備えたカセット内壁部１３０Ｃを配置することができる。
【００７４】
次に、図１０乃至図１３を参照して、本発明の第３の実施形態に係る給紙部２０Ｂについて説明する。給紙部２０Ｂは、前述の給紙部２０、２０Ａと同様に、カセット１５０と、案内壁部１４０とを備える。図１０は、カセット１５０が本体ハウジング１０に装着された際のカセット１５０および案内壁部１４０の斜視図であり、図１１は、図１０の断面斜視図である。また、図１２は、本体ハウジング１０の案内壁部１４０にカセット１５０が装着される様子を示した断面図である。更に、図１３は、本体ハウジング１０の案内壁部１４０にカセット１５０が装着された様子を示した断面図である。なお、図１２および図１３では、複数のシートＰが上下方向に積層された状態で収容されている様子をシート群ＰＶとして示している。本実施形態では、先の第２の実施形態と比較して、カセット内壁部１５０Ｃの構造において相違するため、該相違点を中心に説明し、その他の説明を省略する。
【００７５】
カセット１５０は、本体ハウジング１０に対して着脱自在とされる。本実施形態では、カセット１５０は、本体ハウジング１０に対して、図１２の矢印Ｄ１２１方向に装着される。カセット１５０は、カセット１３０と同様に、カセット底壁１５０Ａ（底部）と、シート収容部１５０Ｓとを備える。カセット１５０は、更に、不図示のカセット前壁と、カセット後壁１５０Ｆ（外壁）と、カセット内壁部１５０Ｃ（壁部）と、カセット左壁１３０Ｄと、カセット右壁１３０Ｅと、不図示のリフト板と、第５ばね１０５と、第６ばね１０６と、を備える。シート収容部１５０Ｓに収容されたシートＰは、図１３の矢印Ｄ１３１方向に搬送される。
【００７６】
本実施形態においても、カセット内壁部１５０Ｃは、カセット後壁１５０Ｆに対向してカセット１５０の内部に配置される。カセット後壁１５０Ｆは、鉛直方向に立設される。カセット内壁部１５０Ｃは、姿勢変更可能とされる。カセット内壁部１５０Ｃは、カセット１５０が本体ハウジング１０から脱離された状態において略鉛直方向に沿った第２の姿勢に配置される（図１２）。一方、カセット１５０が本体ハウジング１０に装着されると、カセット内壁部１５０Ｃは、下方から上方に向かうに従って前記シート搬送方向下流側に向かって先上がりに傾斜した前記第１の姿勢に配置される（図１３）。
【００７７】
カセット内壁部１５０Ｃは、一対の突片１５１と、一対の軸部１５２とを備える（図１０）。突片１５１は、カセット内壁部１５０Ｃの上端側において、前方に向かって突設される突片である。軸部１５２は、突片１５１から前記装着方向と交差するシート幅方向（左右方向）に延伸される。一対の軸部１５２は、カセット左壁１５０Ｄおよびカセット右壁１５０Ｅに開口された不図示の孔部に挿通される。なお、図１０および図１１には、一対の突片１５１および軸部１５２のうち、左側の突片１５１および軸部１５２のみが現れている。一対の軸部１５２は、カセット内壁部１５０Ｃの回転における回転軸となる。
【００７８】
第５ばね１０５および第６ばね１０６は、カセット１５０のカセット後壁１５０Ｆとカセット内壁部１５０Ｃとの間に配置され、本体ハウジング１０へのカセット１５０の装着における衝撃を吸収する。図１２に示されるように、第５ばね１０５はカセット内壁部１５０Ｃの上方部分に配置され、第６ばね１０６はカセット内壁部１５０Ｃの下方部分に配置される。第５ばね１０５の自然長と、第６ばね１０６の自然長とは略同じ長さに設定されている。また、カセット内壁部１５０Ｃは、先の第１、第２の実施形態と同様に、捌きパッド７２（捌き部材）を備える。捌きパッド７２は、カセット内壁部１５０Ｃの上縁部１５０Ｃ１に沿って配置される。捌きパッド７２は、凹凸形状を備えた対向面７２Ｆを含む。
【００７９】
案内壁部１４０は、先の実施形態の案内壁部１２０と同様に、本体ハウジング１０の内部において、カセット１５０に対向して配置されるユニットである。案内壁部１４０は、カセット１５０に対向して、鉛直方向に立設された対向壁部１４０Ｄを備える。
【００８０】
更に、給紙部２０Ｂは、第１姿勢変更部１４５を備える。第１姿勢変更部１４５は、カセット１５０が本体ハウジング１０に装着される動作に連動して、カセット内壁部１５０Ｃを前記第２の姿勢（鉛直方向）から前記第１の姿勢（傾斜方向）に姿勢変更させる。第１姿勢変更部１４５は、押圧板１４１（図１２）（突起部）と、押圧突起部１４０Ｘ（図１１）（突起部）と、開口部１５０Ｈ（図１１）とを備える。
【００８１】
押圧板１４１は、対向壁部１４０Ｄの左方部分において、カセット１５０に対向して配置される。換言すれば、押圧板１４１は、対向壁部１４０Ｄの左右方向の中央部から前方に向かって突設される略三角形状の板部材である。なお、図１０および図１１においては、押圧板１４１は、カセット内壁部１５０Ｃに隠れているため、現れていない。また、押圧突起部１４０Ｘは、対向壁部１４０Ｄの右方部分（図１１参照）において、カセット１５０に対向して配置される。換言すれば、押圧突起部１４０Ｘは、対向壁部１４０Ｄから前方に向かって突設される扁平状の板部材である。開口部１５０Ｈは、カセット後壁１５０Ｆに開口され、押圧突起部１４０Ｘが貫通するための開口部である。なお、図示を省略するが、カセット後壁１５０Ｆには、同様に押圧板１４０が貫通するための不図示のスリットが開口部１５０Ｈとは別に形成されている。
【００８２】
図１２を参照して、本体ハウジング１０にカセット１５０が装着される際（矢印Ｄ１２１）、カセット１５０のカセット後壁１５０Ｆが案内壁部１４０の対向壁部１４０Ｄに対向して配置される。やがて、図１３に示されるように、カセット後壁１５０Ｆが対向壁部１４０Ｄに当接し、カセット１５０が本体ハウジング１０に装着される。この際、押圧板１４１の斜辺１４１Ａおよび押圧突起部１４０Ｘの前端部が、前記不図示のスリットおよび開口部１５０Ｈを貫通して、カセット内壁部１５０Ｃの後側の面に当接する。この結果、カセット内壁部１５０Ｃの下端側が前記軸部１５２回りに回転することで、カセット内壁部１５０Ｃが前記第２の姿勢から前記第１の姿勢に姿勢変更する（図１１、図１３）。
【００８３】
このような構成においても、第５ばね１０５および第６ばね１０６によってカセット１５０の装着に伴う衝撃が吸収され、シートＰに及ぼされる外力が低減される。したがって、カセット１５０にシートＰが満載状態で収容されている場合であっても、前記シートＰに対して給紙ニップ部Ｎに向かう外力が付与されることが可及的に抑止される。また、シート収容部１５０Ｓに積層された個々のシートＰの端縁ＰＱが、対向面７２Ｆの凹凸部分に引っかかり、カセット１５０の装着時にシートＰの給紙ニップ部Ｎへの進入を抑止することができる。また、第１および第２の実施形態と同様に、カセット内壁部１５０Ｃの傾斜形状によって、シートＰの前捌きが好適に実現される。
【００８４】
また、上記の構成によれば、カセット後壁１５０Ｆが鉛直方向に立設された上で、カセット１５０の内部に傾斜形状を備えたカセット内壁部１５０Ｃを配置することができる。また、カセット１５０が本体ハウジング１０に装着されることで、カセット内壁部１５０Ｃの傾斜形状を形成することができる。特に、軸部１５２と、押圧板１４１および押圧突起部１４０Ｘと、前記開口部および開口部１５０Ｈとによって、カセット内壁部１５０Ｃの姿勢変更が好適に実現される。
【００８５】
以上、本発明の実施形態に係る給紙部２０、２０Ａ、２０Ｂおよびこれを備えた画像形成装置１について説明したが、本発明はこれに限定されるものではなく、例えば次のような変形実施形態を取ることができる。
【００８６】
（１）上記の第１の実施形態では、カセット後壁１１０Ｃがカセット１１０に固定して配置される態様にて説明したが、本発明はこれに限定されるものではない。図１４は、本発明の変形実施形態に係るカセット１７０および案内壁部１６０の断面図である。カセット１７０は、本体ハウジング１０に対して、図１４の矢印Ｄ１４１方向に装着される。カセット１７０は、第１の実施形態のカセット１１０と同様に、カセット後壁１７０Ｃを備える。カセット後壁１７０Ｃは、姿勢変更可能とされ、カセット１７０が本体ハウジング１０から脱離された状態において略鉛直方向に沿った第３の姿勢に配置される（図１４）。また、カセット後壁１７０Ｃは、上端側において前記装着方向と交差するシート幅方向に延伸される支点部１７２（第２回転軸）を備える。一方、案内壁部１６０は、第１の実施形態と同様に、押圧対向壁１６０Ｃ（第２姿勢変更手段、当接部、対向板）および支持壁１６０Ｄを備える。押圧対向壁１６０Ｃは、カセット１７０に対向して本体ハウジング１０の案内壁部１６０に配置される。押圧対向壁１６０Ｃと支持壁１６０Ｄとの間には、第７ばね１０７および第８ばね１０８（弾性部材）が配置される。カセット１７０が本体ハウジング１０に装着されると、押圧対向壁１６０Ｃがカセット後壁１７０Ｃに当接し、カセット後壁１７０Ｃの下端側が支点部１７２回りに回転する（図１４の矢印Ｄ１４２）。この結果、カセット後壁１７０Ｃが前記第３の姿勢から前記第１の姿勢に姿勢変更する。したがって、カセット１７０が本体ハウジング１０に装着されることで、カセット後壁１７０Ｃの傾斜形状を形成することができる。
【００８７】
（２）上記の実施形態では、給紙ローラー１１３に対向する対向部材として、リタードローラー１１７を用いて説明したが、本発明はこれに限定されるものではない。対向部材として、給紙ローラー１１３に対向する対向面を備えた給紙パッドが適用されてもよい。
【００８８】
（３）上記の第３の実施形態では、押圧板１４１の斜辺１４１Ａおよび押圧突起部１４０Ｘの前端部がカセット内壁部１５０Ｃの後側の面に当接する態様にて説明したが、本発明はこれに限定されるものではない。他の形状を備えた当接部が、カセット内壁部に当接する態様であってもよい。
【００８９】
（４）また、上記の実施形態では、衝撃吸収手段として、ばね部材を備える構成にて説明したが、本発明はこれに限定されるものではない。他の衝撃吸収手段として、弾性部材など他の部材が配置されてもよい。また、衝撃吸収手段を備えない態様であってもよい。
【符号の説明】
【００９０】
１  画像形成装置
１０  本体ハウジング（装置本体）
１００  案内壁部
１００Ａ  ガイド面
１００Ｂ  側壁部
１００Ｃ  対向壁部（対向板）
１００Ｄ  支持壁
１０１  第１ばね（第１衝撃吸収手段、弾性部材）
１０２  第２ばね（第１衝撃吸収手段、弾性部材）
１０３  第３ばね（第２衝撃吸収手段）
１０４  第４ばね（第２衝撃吸収手段）
１０５  第５ばね（第２衝撃吸収手段）
１０６  第６ばね（第２衝撃吸収手段）
１０７  第７ばね（第１衝撃吸収手段、弾性部材）
１０８  第８ばね（第１衝撃吸収手段、弾性部材）
１１０、１３０、１５０、１７０  カセット
１１０Ａ、１３０Ａ、１５０Ａ、１７０Ａ  カセット底壁（底部）
１１０Ｃ、１３０Ｆ、１５０Ｆ、１７０Ｃ  カセット後壁（外壁）
１１０Ｓ、１３０Ｓ、１５０Ｓ、１７０Ｓ  シート収容部
１１２  ピックアップローラー
１１３  給紙ローラー
１１７  リタードローラー
１３０Ｃ、１５０Ｃ  カセット内壁部（壁部）
１４０Ｘ  押圧突起部（突起部）
１４５  姿勢変更部（第１姿勢変更手段）
１５０Ｈ  開口部
１５２  軸部（第１回転軸）
１６０Ｃ  押圧対向壁（第２姿勢変更手段、当接部、対向板）
１７２  支点部（第２回転軸）
２０、２０Ａ、２０Ｂ  給紙部（給紙装置）
２２Ｆ  主搬送路（シート搬送路）
３０  画像形成部
７０、７１、７２  捌きパッド（規制部材）
７０Ｆ、７１Ｆ、７２Ｆ  対向面
【図１】
2014184995.tif 000003
【図２】
2014184995.tif 000004
【図３】
2014184995.tif 000005
【図４】
2014184995.tif 000006
【図５】
2014184995.tif 000007
【図６】
2014184995.tif 000008
【図７】
2014184995.tif 000009
【図８】
2014184995.tif 000010
【図９】
2014184995.tif 000011
【図１０】
2014184995.tif 000012
【図１１】
2014184995.tif 000013
【図１２】
2014184995.tif 000014
【図１３】
2014184995.tif 000015
【図１４】
2014184995.tif 000016